(57)【要約】【課題】用紙収納部材の内部への塵埃などの侵入を抑制することが可能で、かつ、少なくとも蓋部材の開いた状態の時に、蓋部材と長穴部とが係合している部分にガタツキが発生することを抑制することが可能な給紙カートリッジを提供する。【解決手段】この給紙カートリッジ１は、軸部２ｄと支持部２ｅとが設けられた外側面を有し、画像形成装置２０に供給される用紙３０を収納するための用紙収納部材２と、用紙収納部材２に対して開閉可能であり、用紙収納部材２の軸部２ｄに、スライド可能に嵌め込まれる長穴部３ｂを有する側面部を含む蓋部材３とを備え、蓋部材３は、少なくとも用紙収納部材２に対して軸部２ｄを中心に蓋部材３を開いた状態に回動させた時に、用紙収納部材２の支持部２ｅに対して上下方向に当接して蓋部材３が上下する方向に移動するのを抑制する当接部３ｄを含む。【選択図】図６
0003127968.tif 000002
【実用新案登録請求の範囲】
【請求項１】
画像形成装置に供給される用紙を収納する用紙収納部材と、前記用紙収納部材に対して開閉可能な蓋部材とを備えた給紙カートリッジにおいて、
前記用紙収納部材は、軸部と前記軸部の根元に設けられた支持部とを有する外側面を含み、
前記蓋部材は、前記用紙収納部材の前記軸部にスライド可能に嵌め込まれる長穴部を有する側面部を含み、
前記蓋部材は、少なくとも前記用紙収納部材に対して前記軸部を中心に前記蓋部材を開いた状態に回動させた時に、前記用紙収納部材の前記支持部に対して上下方向に当接して前記蓋部材が上下する方向に移動するのを抑制する、前記蓋部材の内側面に一体的に形成された当接部を含み、
前記支持部は、前記軸部の回動中心を中心とする所定の曲率半径を有する円弧形状部を含み、
前記当接部は、前記蓋部材の開いた状態の時に加えて開閉動作の途中にも、前記支持部に対する当接状態が維持されるように前記支持部の円弧形状部に当接され、
前記蓋部材を開く方向に回動させる際の前記用紙収納部材の前記軸部の回動中心から前記蓋部材の前記当接部までの距離は、前記蓋部材の当接部が前記支持部の円弧形状部を摺動可能な大きさに設定されている、給紙カートリッジ。
【請求項２】
軸部と支持部とが設けられた外側面を有し、画像形成装置に供給される用紙を収納するための用紙収納部材と、
前記用紙収納部材に対して開閉可能であり、前記用紙収納部材の軸部に、スライド可能に嵌め込まれる長穴部を有する側面部を含む蓋部材とを備え、
前記蓋部材は、少なくとも前記用紙収納部材に対して前記軸部を中心に前記蓋部材を開いた状態に回動させた時に、前記用紙収納部材の前記支持部に対して上下方向に当接して前記蓋部材が上下する方向に移動するのを抑制する当接部を含む、給紙カートリッジ。
【請求項３】
前記支持部は、前記軸部の回動中心を中心とする所定の曲率半径を有する円弧形状部を含み、
前記当接部は、前記蓋部材の開いた状態の時に加えて開閉動作の途中にも、前記支持部に対する当接状態が維持されるように前記支持部の円弧形状部に当接されている、請求項２に記載の給紙カートリッジ。
【請求項４】
前記蓋部材を開く方向に回動させる際の前記用紙収納部材の前記軸部の回動中心から前記蓋部材の前記当接部までの距離は、前記蓋部材の前記当接部が前記支持部の円弧形状部を摺動可能な大きさに設定されている、請求項３に記載の給紙カートリッジ。
【請求項５】
前記支持部は、前記軸部の根元部に一体的に設けられている、請求項２〜４のいずれか１項に記載の給紙カートリッジ。
【請求項６】
前記当接部は、前記蓋部材の内側面に一体的に形成されている、請求項２〜４のいずれか１項に記載の給紙カートリッジ。
【考案の詳細な説明】
【技術分野】
【０００１】
この考案は、給紙カートリッジに関し、特に、用紙収納部材に対して開閉可能な蓋部材を備えた給紙カートリッジに関する。
【背景技術】
【０００２】
従来、用紙収納部材に対して開閉可能な蓋部材を備えた給紙カートリッジが知られている（たとえば、特許文献１〜３参照）。
【０００３】
上記特許文献１には、印刷用紙を保持する容器状体（用紙収納部材）と、一方端部が容器状態の底面に係合され、印刷用紙保持時に印刷用紙を押し上げる変位可能な押圧板と、押圧板の他方端部を上方に押圧する円錐コイルばねなどからなる弾性体と、容器状体を上側から覆う蓋体（蓋部材）とを備えた印刷用紙収納カセット（給紙カートリッジ）が開示されている。この特許文献１に記載の印刷用紙収納カセット（給紙カートリッジ）では、容器状体の両側の側面の長溝（長穴部）に対して、長溝と係合している蓋体の凸部（軸部）がスライドされた給紙時の状態において、一方端部が容器状体の底面に係合している押圧板の他方端部が弾性体により上方に押し上げられることによって、常に給紙されることが可能なように構成されている。
【０００４】
また、上記特許文献２には、記録媒体（用紙）を収納可能な上方が開放された筐体（用紙収納部材）と、記録媒体を載置可能な載置台と、記録媒体を挟んだ位置に設けられた一対の長尺状のガイド部材と、ガイド部材と係合および離間が可能な操作部材と、筐体の左右の側壁に形成された長穴状の回動支持部（長穴部）に回動自在に支持された蓋体（蓋部材）とを備えた用紙トレイ（給紙カートリッジ）が開示されている。この特許文献２に記載の用紙トレイ（給紙カートリッジ）では、蓋体を閉じてスライド移動させることによって、蓋体の内側に設けられた突起部が操作部材に設けられた凸部を押圧して移動させるとともに、操作部材に設けられたカム部とガイド部材に設けられたカム係合部とが係合し、ガイド部材が記録媒体の両側辺部方向に移動して当接することによって、記憶媒体をガイドすることが可能なように構成されている。
【０００５】
また、上記特許文献３には、下ケース（用紙収納部材）と、上カバー（蓋部材）と、上カバーの上面に設けられた排紙トレイとを備えた給紙カセット（給紙カートリッジ）が開示されている。この特許文献３に記載の給紙カセット（給紙カートリッジ）では、連結リングによって排紙トレイと上カバーおよび下ケースとが連結されており、連結リングの下部支軸が、下ケースに設けられた軸孔に挿入されているとともに上カバーの側壁に設けられた長孔（長穴部）にスライド自在に挿入されていることにより、排紙トレイの上面が、上カバーの上面と共働して谷形の用紙受取り面を形作る後上がり姿勢と、上カバーに重なり合う格納姿勢との間で揺動可能であることから、給紙カセットの用紙引出口を上カバーで閉じた格納姿勢のまま給紙カセットを画像形成装置の給紙口に装着することによって、上カバーが後方へスライドして用紙引出口が開くとともに、排紙トレイが後上がり姿勢になることが可能なように構成されている。
【０００６】
【特許文献１】特開２００１−２５３５５９号公報
【特許文献２】特開２００４−９９２８１号公報
【特許文献３】特開２００５−２９８１５６号公報
【考案の開示】
【考案が解決しようとする課題】
【０００７】
しかしながら、上記特許文献１に記載の印刷用紙収納カセット（給紙カートリッジ）では、長溝（長穴部）が容器状体（用紙収納部材）側に形成されているので、長溝から塵埃などが侵入するという問題点がある。
【０００８】
また、上記特許文献２に記載の用紙トレイ（給紙カートリッジ）では、蓋体の突起部（軸部）と筐体の長穴状の回動支持部（長穴部）とを係合させている構造であるため、蓋体（蓋部材）の開いた状態の時に、不意な衝撃などにより、蓋体の突起部と筐体の長穴状の回動支持部とが係合している部分にガタツキが発生するという問題点がある。
【０００９】
また、上記特許文献３に記載の給紙カセット（給紙カートリッジ）では、上カバー（蓋部材）に長孔（長穴部）が形成されており、下部支軸（軸部）が下ケース（用紙収納部材）に設けられた軸孔に挿入されているとともに上カバーの側壁に設けられた長孔にスライド自在に挿入されているために、連結リングの下部支軸と長孔とが摺動する際に、下部支軸および長孔の摺動部分の摩耗によって発生する塵などが下ケース（用紙収納部材）に侵入するという問題点がある。
【００１０】
この考案は、上記のような課題を解決するためになされたものであり、この考案の１つの目的は、用紙収納部材の内部への塵埃などの侵入を抑制することが可能で、かつ、少なくとも蓋部材の開いた状態の時に、蓋部材と長穴部とが係合している部分にガタツキが発生することを抑制することが可能な給紙カートリッジを提供することである。
【課題を解決するための手段および考案の効果】
【００１１】
この考案の第１の局面による給紙カートリッジは、画像形成装置に供給される用紙を収納する用紙収納部材と、用紙収納部材に対して開閉可能な蓋部材とを備えた給紙カートリッジにおいて、用紙収納部材は、軸部と軸部の根元に設けられた支持部とが設けられた外側面を有し、蓋部材は、用紙収納部材の軸部にスライド可能に嵌め込まれる長穴部を有する側面部を含み、蓋部材は、少なくとも用紙収納部材に対して軸部を中心に蓋部材を開いた状態に回動させた時に、用紙収納部材の支持部に対して上下方向に当接して蓋部材が上下する方向に移動するのを抑制する、蓋部材の内側面に一体的に形成された当接部を含み、支持部は、軸部の回動中心を中心とする所定の曲率半径を有する円弧形状部を含み、当接部は、蓋部材の開いた状態の時に加えて開閉動作の途中にも、支持部に対する当接状態が維持されるように支持部の円弧形状部に当接され、蓋部材を開く方向に回動させる際の用紙収納部材の軸部の回動中心から蓋部材の当接部までの距離は、蓋部材の当接部が支持部の円弧形状部を摺動可能な大きさに設定されている。
【００１２】
この第１の局面による給紙カートリッジでは、上記のように、用紙収納部材を、軸部が設けられた外側面を有するように構成し、蓋部材を、用紙収納部材の軸部にスライド可能に嵌め込まれる長穴部を有する側面部を含むように構成することによって、用紙収納部材側に長穴部が形成されないので、用紙収納部材の長穴部を介して塵埃などが用紙収納部材内に侵入したり、軸部と長穴部との摺動による摩耗から発生する塵などが用紙収納部材の長穴部を介して用紙収納部材内に侵入することを抑制することができる。また、少なくとも、用紙収納部材に対して軸部を中心に蓋部材を開いた状態に回動させた時に、用紙収納部材の支持部に対して上下方向に当接して蓋部材が上下する方向に移動するのを抑制する当接部を設けることによって、少なくとも、蓋部材を開いた状態の時に、蓋部材と長穴部とを係合している部分にガタツキが発生することを抑制することができる。
【００１３】
また、第１の局面による給紙カートリッジでは、支持部を軸部の回動中心を中心とする所定の半径を有する円弧形状部を含むように構成するとともに、当接部を蓋部材を開いた状態の時に加えて開閉動作の途中にも、支持部に対する当接状態が維持されるように支持部の円弧形状部に当接されるように構成することによって、軸部の回動中心から蓋部材の当接部までの距離を一定にすることができるため、蓋部材を開いた状態の時に加えて開閉動作の途中にも蓋部材と長穴部とが係合する部分にガタツキが発生することを抑制することができる。また、蓋部材を開く方向に回動させる際の用紙収納部材の軸部の回動中心から蓋部材の当接部までの距離を、蓋部材の当接部が支持部の円弧形状部を摺動可能な大きさにすることによって、蓋部材の開いた状態および開閉動作の途中の状態で、容易に蓋部材の当接部を用紙収納部材の支持部に当接させることができる。また、支持部を、軸部の根元部に一体的に設けることによって、支持部材を用紙収納部材とは別途設ける必要がないため、部品点数の増加を抑制することができる。また、当接部を、蓋部材の内側面に一体的に形成することによって、用紙収納部材の支持部を支持するための当接部を蓋部材とは別個に設ける必要がないため、さらに部品点数の増加を抑制することができる。
【００１４】
この考案の第２の局面による給紙カートリッジは、軸部と支持部とが設けられた外側面を有し、画像形成装置に供給される用紙を収納するための用紙収納部材と、用紙収納部材に対して開閉可能であり、用紙収納部材の軸部に、スライド可能に嵌め込まれる長穴部を有する側面部を含む蓋部材とを備え、蓋部材は、少なくとも用紙収納部材に対して軸部を中心に蓋部材を開いた状態に回動させた時に、用紙収納部材の支持部に対して上下方向に当接して蓋部材が上下する方向に移動するのを抑制する当接部を含む。
【００１５】
この第２の局面による給紙カートリッジでは、上記のように、用紙収納部材を、軸部が設けられた外側面を有するように構成し、蓋部材を、用紙収納部材の軸部にスライド可能に嵌め込まれる長穴部を有する側面部を含むように構成することによって、用紙収納部材側に長穴部が形成されないので、用紙収納部材の長穴部を介して塵埃などが用紙収納部材内に侵入したり、軸部と長穴部との摺動による磨耗から発生する塵などが用紙収納部材の長穴部を介して用紙収納部材内に侵入することを抑制することができる。また、少なくとも、用紙収納部材に対して軸部を中心に蓋部材を開いた状態に回動させた時に、用紙収納部材の支持部に対して上下方向に当接して蓋部材が上下する方向に移動するのを抑制する当接部を設けることによって、少なくとも、蓋部材の開いた状態の時に、蓋部材の長穴部と用紙収納部材の軸部とを係合している部分にガタツキが発生することを抑制することができる。
【００１６】
上記第２の局面による給紙カートリッジにおいて、好ましくは、支持部を、軸部の回動中心を中心とする所定の曲率半径を有する円弧形状部を含むように構成するとともに、当接部を、蓋部材の開いた状態の時に加えて開閉動作の途中にも、支持部に対する当接状態が維持されるように支持部の円弧形状部に当接されるように構成している。このように構成すれば、軸部の回動中心から蓋部材の当接部までの距離を一定にすることができるため、蓋部材を開いた状態の時に加えて開閉動作の途中にも蓋部材の長穴部と用紙収納部材の軸部とが係合する部分にガタツキが発生することを抑制することができる。
【００１７】
上記第２の局面による給紙カートリッジにおいて、好ましくは、蓋部材を開く方向に回動させる際の用紙収納部材の軸部の回動中心から蓋部材の当接部までの距離を、蓋部材の当接部が支持部の円弧形状部を摺動可能な大きさに設定している。このように構成すれば、蓋部材の開いた状態および開閉動作の途中の状態で、容易に、蓋部材の当接部を用紙収納部材の支持部に当接させることができる。
【００１８】
上記第２の局面による給紙カートリッジにおいて、好ましくは、支持部を、軸部の根元部に一体的に設けている。このように構成すれば、支持部材を用紙収納部材とは別途設ける必要がないため、部品点数の増加を抑制することができる。
【００１９】
上記第２の局面による給紙カートリッジにおいて、好ましくは、当接部を、蓋部材の内側面に一体的に形成している。このように構成すれば、用紙収納部材の支持部を支持するための当接部を蓋部材とは別固に設ける必要がないため、さらに部品点数の増加を抑制することができる。
【考案を実施するための最良の形態】
【００２０】
以下、本考案を具体化した実施形態を図面に基づいて説明する。
【００２１】
図１は、本考案の一実施形態による昇華型プリンタに給紙カートリッジを取り付けた状態の全体構造を示した斜視図である。図２は、本考案の一実施形態による給紙カートリッジの蓋部分を所定の方向にスライドさせた状態の全体構造を示した斜視図である。図３〜図１０は、図２に示した一実施形態による給紙カートリッジの構造の詳細を示した図である。まず、図１、図２、図６〜図１０および図１５を参照して、本考案の一実施形態による給紙カートリッジの構造について説明する。なお、本実施形態では、画像形成装置の一例である昇華型プリンタに本考案による給紙カートリッジを適用した場合について説明する。
【００２２】
本実施形態による給紙カートリッジ１は、図１に示すように、昇華型プリンタ２０の用紙供給口２０ａに着脱可能に装着することが可能なように構成されている。また、給紙カートリッジ１は、図２および図６に示すように、用紙収納部材２と、用紙収納部材２の内部への埃などの侵入を抑制するための蓋部材３と、用紙押し上げ部材４とを備えている。
【００２３】
用紙収納部材２は、昇華型プリンタ２０（図１参照）に供給される用紙３０を収納するために設けられている。具体的には、用紙収納部材２に収納される用紙３０（図１参照）は、図７に示す用紙載置部２ａの底面（用紙載置面）に載置される。また、給紙カートリッジ１が昇華型プリンタ２０の用紙供給口２０ａ（図１参照）に取り付けられた状態では、用紙載置部２ａのプリンタ挿入部２ｂ（図２参照）が用紙供給口２０ａ内に挿入されている。この用紙載置部２ａのプリンタ挿入部２ｂに対応する部分において、用紙載置部２ａの短手方向（図２のＸ方向）の両側端面には、それぞれ、外側（短手方向）に突出する係合片２ｃが設けられている。そして、昇華型プリンタ２０に設けられた係合孔（図示せず）に用紙載置部２ａの係合片２ｃを係合させることによって、用紙供給口２０ａに給紙カートリッジ１が取り付けられる。
【００２４】
また、図７および図８に示すように、用紙載置部２ａのプリンタ挿入部２ｂに対応しない部分において、用紙載置部２ａの短手方向（Ｘ方向）の両側端面には、それぞれ、外側に突出する一対の軸部２ｄが設けられている。
【００２５】
ここで、本実施形態では、軸部２ｄの根元には、軸部２ｄの回動中心を中心とする円弧形状部２ｆを含む支持部２ｅが一体的に設けられている。また、円弧形状部２ｆは、軸部２ｄの回動中心を中心とする曲率半径ｒを有する円弧形状に形成されている。
【００２６】
また、用紙載置部２ａは、短手方向（Ｘ方向）の両端部において、用紙載置面から垂直方向（上方向）に延びる側面部を有する。また、図７に示すように、用紙載置部２ａの短手方向（Ｘ方向）の両端部側には、それぞれ、板状に形成された取付部２ｇが設けられている。この蓋部材３用の取付部２ｇは、用紙載置部２ａの側面部の外面と対向するように、かつ、用紙載置部２ａの側面部に対して所定の間隔を隔てて配置されている。また、蓋部材３用の取付部２ｇは、連結部２ｈによって用紙載置部２ａに連結されている。また、取付部２ｇの外側面は、ユーザが把持してスライド可能なように凹凸形状に形成されている。また、用紙載置部２ａの底面（用紙載置面）には、互いに所定の間隔を隔てて配置された用紙押上げ部材４用の一対の取付穴２ｉが設けられている。
【００２７】
また、用紙載置部２ａの短手方向（Ｘ方向）に位置する一方の側面には、用紙付勢部２ｊが設けられており、用紙付勢部２ｊの取付部２ｇに対向する側には突起部２ｋが設けられている。この突起部２ｋが後述する押圧部３ｃ（図９参照）によって押圧されることにより、用紙付勢部２ｊは、用紙載置部２ａに載置された用紙３０（図１参照）を、用紙載置部２ａの短手方向（Ｘ方向）に位置する他方の側面部に付勢することが可能なように構成されている。そして、用紙付勢部２ｊにより用紙載置部２ａに載置された用紙３０が付勢されることによって、用紙３０が用紙載置部２ａの短手方向（Ｘ方向）にずれるのが抑制される。
【００２８】
また、図２および図６に示すように、蓋部材３は、用紙収納部材２の内部に埃などが侵入するのを抑制するために設けられている。この蓋部材３は、短手方向（Ｘ方向）の両端部において、用紙載置面２ａの底面に対して垂直な側面部を有する。蓋部材３の長手方向の一方（Ｂ方向）の端部側に位置する両側面部には、それぞれ、係合孔３ａが設けられている。また、蓋部材３の長手方向の他方（Ａ方向）の端部側に位置する両側面部には、それぞれ、長穴３ｂが設けられている。また、蓋部材３の側面部における用紙付勢部２ｊと対向する側に、用紙付勢部２ｊを押圧するための押圧部３ｃ（図９参照）が設けられている。そして、蓋部材３の側面部は、用紙載置部２ａの側面部と取付部２ｇとの間に配置されているとともに、蓋部材３の長穴部３ｂは、用紙収納部材２の軸部２ｄにスライド可能に嵌合されている。これにより、蓋部材３は、蓋部材３の長穴部３ｂの長手方向（Ａ方向またはＢ方向）の距離の範囲内で、用紙収納部材２に対してスライドさせることが可能となっている。
【００２９】
また、本実施形態では、図６に示すように、蓋部材３の長穴部３ｂ側における内側の両側面部には、蓋部材３を開いた時の状態および開閉動作の途中において、用紙収納部材２の支持部２ｅに当接する当接部３ｄが一体的に設けられている。
【００３０】
また、図２に示すように、蓋部材３を用紙収納部材２に対してＡ方向にスライドさせた場合には、用紙載置部２ａのプリンタ挿入部２ｂが露出されることにより、用紙収納部材２を昇華型プリンタ２０の用紙供給口２０ａ（図１参照）に取り付けることが可能なように構成されている。また、図２に示す状態から、蓋部材３を用紙収納部材２に対してＢ方向にスライドさせた場合には、図３に示すように、用紙収納部材２の内部が露出しないように蓋部材３によって覆うことが可能なように構成されている。また、図３に示す状態では、蓋部材３の係合孔３ａと用紙載置部２ａの係合片２ｃとが係合するので,蓋部材３が用紙収納部材２に対してスライドしないように固定されるように構成されている。
【００３１】
また、給紙カートリッジ１が図２の状態では、図１０に示すように、蓋部材３の長穴部３ｂと係合している軸部２ｄの回動中心から、蓋部材３の当接部３ｄの当接面までの距離Ｄ１は、支持部２ｅに形成された円弧形状部２ｆの曲率半径ｒ（図８参照）よりも若干大きい距離に設定されている。具体的には、距離Ｄ１は蓋部材３の当接部３ｄが支持部２ｅの円弧形状部２ｆを摺動可能な大きさに設定されている。
【００３２】
また、図６に示すように、用紙押し上げ部材４は、給紙時に、用紙収納部材２に収納された用紙３０（図１参照）のプリンタ挿入部２ｂ側に位置する部分を上方向に押し上げるために設けられている。この用紙押し上げ部材４の短手方向（Ａ方向）の端部には、一対のフック部４ａが互いに所定の間隔を隔てて設けられている。そして、用紙押し上げ部材４のフック部４ａは、用紙押し上げ部材４が用紙収納部材２に対して回動可能なように、用紙収納部材２の一対の取付穴２ｉに係合されている。なお、用紙押し上げ部材４は、用紙収納部材２が昇華型プリンタ２０の用紙供給口２０ａに取り付けられたときに、図１５に示すように、昇華型プリンタ２０の押し上げレバー２１により押し上げられる。このように、用紙押し上げ部材４により用紙収納部材２に収納された用紙３０が押し上げられることによって、昇華型プリンタ２０の給紙ローラ２２に用紙３０が接触される。
【００３３】
また、本実施形態による給紙カートリッジ１が取り付けられる昇華型プリンタ２０の構造としては、図１５に示すように、用紙供給口２０ａに対応する領域に、押し上げレバー２１と、給紙ローラ２２と、用紙分離部材２３とが設けられている。押し上げレバー２１は、用紙収納部材２が用紙供給口２０ａに取り付けられたときに、用紙押し上げ部材４を回動させて上方に押し上げる機能を有する。また、給紙ローラ２２は、用紙収納部材２に収納された用紙３０を昇華型プリンタ２０の内部に搬送する機能を有する。また、用紙分離部材２３は、昇華型プリンタ２０の内部に搬送される用紙３０を１枚ずつ分離する機能を有する。
【００３４】
次に、図１、図３〜図５および図１０〜図１４を参照して、本考案の一実施形態による昇華型プリンタに対する給紙動作について説明する。
【００３５】
まず、図３に示した状態の給紙カートリッジ１を準備する。そして、蓋部材３を図３に示した状態から矢印Ａ方向にスライドさせる。これにより、図２に示すように、給紙カートリッジ１のプリンタ挿入部２ｂに対応する領域が露出されるとともに、蓋部材３の係合孔３ａと用紙収納部材２の係合片２ｃとの係合が解除される。また、蓋部材３を矢印Ａ方向にスライドさせることにより、図１１に示すように、用紙収納部材２の支持部２ｅと蓋部材３の当接部３ｄとが接近した状態になる。そして、用紙収納部材２の軸部２ｄを回動中心として、蓋部材３を矢印Ｃ方向（図４および図１２参照）に回動させる。
【００３６】
ここで、本実施形態では、図１１の状態から図１２に示すように、蓋部材３がＣ方向に回動する際に蓋部材３の回動に伴って当接部３ｄは、用紙収納部材２の支持部２ｅの円弧形状部２ｆと当接状態を維持しながら回動（摺動）する。これにより、軸部２ｄと長穴部ｂとが係合している位置が保持されて、蓋部材３は、矢印Ｅ方向への移動が抑制された状態が保持される。
【００３７】
そして、本実施形態では、図５および図１３に示すように、蓋部材３の回動に伴って当接部３ｄもさらに回動されるとともに、当接部３ｄと支持部２ｅの円弧形状部２ｆとの当接状態も維持され続けることにより、軸部２ｄと長穴部３ｂとが係合している位置は完全に保持されたままの状態で、蓋部材３は９０度に開いた状態（図１３および図１４参照）になる。したがって、矢印Ｅ方向への移動が完全に抑制され続ける。
【００３８】
そして、蓋部材３を９０度に開いた状態で用紙３０を載置した後、蓋部材３を矢印Ｄ方向（図４および図１２参照）に回動させる際にも、図２および図１１に示すような蓋部材３を閉じた状態になるまで、蓋部材３の当接部３ｄと支持部２ｅの円弧形状部２ｆとの当接状態は維持され続ける。
【００３９】
この後、図１に示すように、給紙カートリッジ１のプリンタ挿入部２ｂを昇華型プリンタ２０の用紙供給口２０ａの内部の所定部分に、用紙収納部材２の係合片２ｃが係合するように給紙カートリッジ１を昇華型プリンタ２０に装着する。そして、昇華型プリンタ２０の用紙供給口２０ａに給紙カートリッジ１が取り付けられると、図１５に示すように、昇華型プリンタ２０の押し上げレバ−２１により、用紙押し上げ部材４が上方に押し上げられる。これにより、給紙ローラ２２と用紙３０とが接触する。そして、給紙ローラ２２と用紙３０とが接触した状態で、給紙ローラ２２を回転させることによって、昇華型プリンタ２０への用紙３０の供給が開始される。
【００４０】
本実施形態では、上記のように、用紙収納部材２を、軸部２ｄが設けられた外側面を有するように構成し、蓋部材３を、用紙収納部材２の軸部２ｄにスライド可能に嵌め込まれる長穴部３ｂを有する側面部を含むように構成することによって、用紙収納部材２側に長穴部３ｂが形成されないので、用紙収納部材２の長穴部３ｂを介して塵埃などが用紙収納部材２内に侵入したり、軸部２ｄと長穴部３ｂとの摺動による磨耗から発生する塵などが用紙収納部材２の長穴部３ｂを介して用紙収納部材内２に侵入することを抑制することができる。また、少なくとも、用紙収納部材２に対して軸部２ｄを中心に蓋部材３を開いた状態に回動させた時に、用紙収納部材２の支持部２ｅに対して上下方向に当接して蓋部材３が上下する方向に移動するのを抑制する当接部３ｄを設けることによって、少なくとも、蓋部材３の開いた状態の時に、蓋部材３の長穴部３ｂと用紙収納部材２の軸部２ｄとの係合する部分に矢印Ｆ方向のガタツキが発生することを抑制することが可能である。
【００４１】
また、本実施形態では、支持部２ｅを、軸部２ｄの回動中心を中心とする所定の曲率半径ｒを有する円弧形状部２ｆを含むとともに、当接部３ｄを、蓋部材３の開いた状態の時に加えて開閉動作の途中にも、支持部２ｅに対する当接状態が維持されるように支持部２ｅの円弧形状部２ｆに当接されるように形成することによって、軸部２ｄの回動中心から蓋部材３の当接部３ｄまでの距離Ｄ１を一定にすることができるため、蓋部材３を開いた状態の時に加えて開閉動作の途中にも蓋部材３の長穴部３ｂと用紙収納部材２の軸部２ｄとが係合する部分にガタツキが発生することを抑制することが可能である。
【００４２】
また、本実施形態では、蓋部材３を開く方向に回動させる際の用紙収納部材２の軸部２ｄの回動中心から蓋部材３の当接部３ｄまでの距離Ｄ１を、蓋部材３の当接部３ｄが支持部２ｅの円弧形状部２ｆを摺動可能な大きさに設定することによって、蓋部材３の開いた状態および開閉動作の途中の状態で、容易に、蓋部材３の当接部３ｄを用紙収納部材２の支持部２ｅに当接させることが可能である。
【００４３】
また、本実施形態では、支持部２ｅを、軸部２ｄの根元の部分に一体的に設けることによって、蓋部材３の当接部３ｄに支持される部材を用紙収納部材２とは別途設ける必要がないため、部品点数の増加を抑制することが可能である。
【００４４】
また、本実施形態では、当接部３ｄを、蓋部材３の内側面に一体的に形成することによって、用紙収納部材２の支持部２ｅを支持するための当接部３ｄを蓋部材３とは別個に設ける必要がないため、さらに部品点数の増加を抑制することが可能である。
【００４５】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００４６】
たとえば、上記実施形態では、昇華型プリンタに取り付けられる給紙カートリッジに本考案を適用する例を示したが、本考案はこれに限らず、昇華型プリンタ以外の画像形成装置に取り付けられる給紙カートリッジにも適用可能である。
【００４７】
また、上記実施形態では、蓋部材の当接部に当接する支持部の円弧形状部を、軸部を中心とする円弧形状に形成する例について示したが、本考案はこれに限らず、蓋部材の当接部に当接する支持部の円弧形状部を、円弧形状以外の形状に形成してもよい。
【００４８】
また、上記実施形態では、蓋部材が９０度に開いた状態のみならず開くまでの途中の状態においても当接部が支持部に当接するように構成したが、本考案はこれに限らず、蓋部材が９０度開いた状態の時のみ当接部が支持部に当接するようにしてもよい。
【００４９】
また、上記実施形態では、支持部は軸部の根元部に一体的に設けられているように構成したが、本考案はこれに限らず、支持部は軸部とは別個に設けてもよい。
【００５０】
また、上記実施形態では、当接部は蓋部材の内側面に一体的に形成されているように構成したが、本考案はこれに限らず、当接部は蓋部材とは別個に形成してもよい。
【図面の簡単な説明】
【００５１】
【図１】本考案の一実施形態による昇華型プリンタに給紙カートリッジを取り付けた状態の全体構造を示した斜視図である。
【図２】本考案の一実施形態による給紙カートリッジの蓋部材を所定の方向にスライドさせた状態の全体構造を示した斜視図である。
【図３】本考案の一実施形態による給紙カートリッジの蓋部材を所定の方向とは反対方向にスライドさせた状態の全体構造を示した斜視図である。
【図４】本考案の一実施形態による給紙カートリッジの蓋部材を開閉させる動作の途中の状態の全体構造を示した斜視図である。
【図５】本考案の一実施形態による給紙カートリッジの蓋部材の９０度開いた状態の全体構造を示した斜視図である。
【図６】本考案の一実施形態による給紙カートリッジの全体構造を示した分解斜視図である。
【図７】本考案の一実施形態による用紙収納部材の平面図である。
【図８】本考案の一実施形態による用紙収納部材の軸部周辺の拡大図である。
【図９】本考案の一実施形態による蓋部材の底面図である。
【図１０】本考案の一実施形態による蓋部材の当接部周辺の拡大断面図である。
【図１１】本考案の一実施形態による蓋部材の開閉動作を説明するための断面図である。
【図１２】本考案の一実施形態による蓋部材の開閉動作を説明するための断面図である。
【図１３】本考案の一実施形態による蓋部材の開閉動作を説明するための断面図である。
【図１４】本考案の一実施形態による蓋部材の開いた状態における支持部と当接部の当接状態を説明するための断面図である。
【図１５】本考案の一実施形態による昇華型プリンタに給紙カートリッジを取り付けた状態の断面図である。
【符号の説明】
【００５２】
１      給紙カートリッジ
２      用紙収納部材
２ｄ    軸部
２ｅ    支持部
２ｆ    円弧形状部
３      蓋部材
３ｂ    長穴部
３ｄ    当接部
２０    昇華型プリンタ（画像形成装置）
３０    用紙
【図１】
0003127968.tif 000003
【図２】
0003127968.tif 000004
【図３】
0003127968.tif 000005
【図４】
0003127968.tif 000006
【図５】
0003127968.tif 000007
【図６】
0003127968.tif 000008
【図７】
0003127968.tif 000009
【図８】
0003127968.tif 000010
【図９】
0003127968.tif 000011
【図１０】
0003127968.tif 000012
【図１１】
0003127968.tif 000013
【図１２】
0003127968.tif 000014
【図１３】
0003127968.tif 000015
【図１４】
0003127968.tif 000016
【図１５】
0003127968.tif 000017